(57)【特許請求の範囲】
【請求項１】
複数の階に個別の冷蔵庫を備える冷蔵施設用のエレベータ装置用除湿システムであって、除湿装置の空気出口に基端が接続され、各階に対応する送風口が、各階の冷蔵庫における床よりも高い位置に配設してある送風ダクトを、エレベータシャフト内におけるエレベータかご室の移動方向に沿って設け、また一端がエレベータシャフト内に臨み、他端が前記除湿装置の空気入口に接続された吸入ダクトを備え、前記送風口から除湿空気を前記エレベータシャフト内に直接送出して低湿度に保つことにより、施設内外の温度差の影響を大きく受ける冷蔵施設のエレベータ装置でありながらも前記冷蔵庫からエレベータシャフト内に侵入する冷気によるエレベータシャフト内での結露を防止できるように構成してなるエレベータ装置用除湿システム。
【請求項２】
前記吸入ダクトが、各階に対応するように設けてある吸入口を有するように構成してなる請求項１に記載のエレベータ装置用除湿システム。
【請求項３】
前記吸入口と送風口を、エレベータシャフト内において上下方向に交互となるように配設してなる請求項２に記載のエレベータ装置用除湿システム。
【発明の詳細な説明】
【技術分野】
【０００１】
本発明はエレベータ装置のエレベータシャフト内の除湿を行う除湿システムに関し、より詳しくは、複数階で構成される冷蔵倉庫等の冷蔵庫用のエレベータ装置用に好適な除湿システムに関する。
【背景技術】
【０００２】
エレベータ装置における空調としては、従来からエレベータかご室内に対するものが各種提案されている（例えば、特許文献１、２参照）。
【０００３】
また、エレベータ装置はエレベータかご室を昇降させるための機器を備える機械室が付設されるが、この機械室はモータやその駆動・制御用電気回路を備え、このような電気回路は結露による故障、誤作動のおそれがあることから機械室に除湿器を設ける提案もなされている（例えば、特許文献３参照）。
【０００４】
ところで、上述のようにエレベータかご室や機械室に対する空調については従来から積極的な考察、提案がなされているが、かご室が昇降されるエレベータシャフト内の空調については技術的な提案がほとんどなされていないのが現状である。
【０００５】
しかしながら、エレベータシャフト内の湿気は、シャフト内壁にかびが付着したり、下部床に結露水が溜まったり、シャフト内機器に錆が生じたりする原因となり、エレベータ装置の耐久性低下や衛生状態の悪化の原因となる。
また、前述した電気回路への結露による装置の故障や誤作動の原因ともなる。
【０００６】
このような問題は、一般的なビルのエレベータ装置においても存在するものであるが、複数階の冷蔵庫で構成される冷蔵施設のエレベータ装置においては、エレベータ装置が施設内外の温度差の影響を大きく受けるため特に顕著であり、また冷蔵施設は食品の冷蔵に利用されることが殆どであることから、前述した湿気によるかびの発生のような衛生上の問題は決して放置することができない。
【０００７】
上述した冷蔵庫用のエレベータ装置においては、冷蔵庫への搬入出用の前室（荷捌室や作業室など）の冷気をエレベータシャフトに導入したり、エレベータシャフト内の空気を外部に送出して換気を行うようにしたりというような技術的提案もなされて来たが、十分な効果が得られず、広く実用化されるには至っていないのが現状である。
【特許文献１】特開平９−５８９４３号公報（第１〜６頁、図１〜１２）
【特許文献２】特開平１０−２３１０７９号公報（第１〜５頁、図１〜４）
【特許文献３】実開昭６３−７７９８０号公報（第１頁、第２図）
【発明の開示】
【発明が解決しようとする課題】
【０００８】
本発明は、エレベータシャフト内の除湿を確実に行うことができ、シャフト内へのかびの付着や結露水の滞留および機器への錆の発生、結露水の付着を防止することができ、エレベータ装置の衛生状態、耐久性および信頼性の向上を期すことのできる除湿システムを提供することを目的としている。
【課題を解決するための手段】
【０００９】
上記課題を解決するために、本発明に係る除湿システムは、複数の階に個別の冷蔵庫を備える冷蔵施設用のエレベータ装置用除湿システムであって、除湿装置の空気出口に基端が接続され、複数の送風口を長手方向に有する送風ダクトを、エレベータシャフト内におけるエレベータかご室の移動方向に沿って設け、また一端がエレベータシャフト内に臨み、他端が前記除湿装置の空気入口に接続された吸入ダクトを備え、前記送風口から送出される除湿空気を前記エレベータシャフト内に満たして低湿度に保つことにより、施設内外の温度差の影響を大きく受ける冷蔵施設のエレベータ装置でありながらも前記冷蔵庫からエレベータシャフト内に侵入する冷気によるエレベータシャフト内での結露を防止できるように構成したものとしてある。
【００１０】
また、前記吸入ダクトの長手方向に複数の吸入口を設け、この吸入ダクトを、前記送風ダクトと略平行となるように前記エレベータシャフト内に設け、前記吸入口と送風口を、エレベータシャフト内において上下方向に交互となるように配設した構成のものとしてある。
【発明の効果】
【００１１】
本発明によれば、エレベータシャフト内に効率良く除湿空気が供給され、シャフト内の湿度を常に低く保つことができ、したがってエレベータシャフト内におけるかびの発生や結露水の滞留等の衛生上の問題を解決することができ、しかもシャフト内機器への発錆や、電気回路への結露に起因する故障や誤作動が防止され、エレベータ装置の耐久性、信頼性を向上させることができる。
【発明を実施するための最良の形態】
【００１２】
以下、本発明に係る除湿システムの実施例を添付図面に示す具体例に基づいて詳細に説明する。
本実施例においては、各階にそれぞれ個別の冷蔵庫１、１を備える複数階（図１では４階）に構成された冷蔵施設２のエレベータ装置における除湿システムの例について説明する。
【００１３】
エレベータシャフト３内におけるかご室４を昇降させる昇降駆動用機器５を備える機械室６内に、除湿装置７が設けられていて、同除湿装置の空気出口７ａに一端が接続された送風ダクト８が前記エレベータシャフト３内におけるかご室４まわりに垂設されており、送風ダクト８の途中には、複数の送風口９、９を設けてある。
【００１４】
上記各送風口９、９は、例えば各階に１箇所ずつ対応するように設けてあって、各階の冷蔵庫１、１における床よりも若干高い程度の位置に配設してある。
【００１５】
また、前記除湿装置７の空気入口７ｂに一端が接続された吸入ダクト１０も前記送風ダクト８と平行するようにエレベータシャフト３内に垂設してあり、上記吸入ダクト１０の途中には、複数の吸入口１１、１１を設けてある。
【００１６】
そして、各吸入口も施設の各階に１箇所ずつ対応するように設けてあって、前記送風口と対となるように設けられ、送風口と吸入口とがエレベータシャフト内の高さ方向において交互となる位置に設けてある。
【００１７】
かくすることにより、各送風口９、９からエレベータシャフト３内に送出された乾燥空気がシャフト内に満遍なく広がって除湿し、シャフト内の水分を含んだ空気が各吸入口１１、１１から効率よく吸入されて除湿装置７に戻され、したがってシャフト内の除湿を確実に行うことができる。
【００１８】
上述した実施例においては、除湿装置７を機械室６内に設けてあるが、図２に示されるように除湿装置７は冷蔵施設の屋上等の他の場所に設けるようにする場合もある。
【００１９】
また、図３に示されるように吸入ダクト１２を、その下端吸入口１３がシャフト３内の上部に臨むように構成する場合もある。
【図面の簡単な説明】
【００２０】
【図１】本発明に係る除湿システムの実施例を示す構成図。
【図２】本発明に係る除湿システムの他の例を示す構成図。
【図３】本発明に係る除湿システムのさらに他の例を示す構成図。
【符号の説明】
【００２１】
１  冷蔵庫
２  冷蔵施設
３  エレベータシャフト
４  かご室
５  駆動用機器
６  機械室
７  除湿装置
８  送風ダクト
９  送風口
１０  吸入ダクト
１１  吸入口
１２  吸入ダクト
１３  吸入口
【図１】
0004840821.tif 000002
【図２】
0004840821.tif 000003
【図３】
0004840821.tif 000004